(57)【要約】【課題】  鏡筒内に水が浸入した場合にこれを効率よく排水する。【解決手段】  撮影レンズの前面で開閉するレンズバリア４０と、レンズバリア４０を開閉可能に保持するとともに開状態にあるレンズバリアを収容するバリア退避空間ＳＰ１を有し、光軸方向に進退可能なバリアブロックＢＲとを備え、バリアブロックＢＲの進退によって鏡筒後方空間ＳＰ３の体積が変化するレンズ鏡筒に適用される。バリアブロックＢＲには、バリア退避空間ＳＰ１と外部とを連通する水抜き孔５１ｈと、水抜き孔５１ｈの近傍においてバリア退避空間ＳＰ１と鏡筒後方空間ＳＰ３とを連通する空気通路（５２ｈ，ＳＰ２，５４ｈ，２５ｈから成る）とが設けられ、バリアブロック後退時に、空気通路に鏡筒後方空間ＳＰ３からバリア退避空間ＳＰ１に向かう空気の流れが生ずるようにする。【選択図】        図１３
2005258276.tif 000002
【特許請求の範囲】
【請求項１】
撮影レンズの前面で開閉するレンズバリアと、
該レンズバリアを開閉可能に保持するとともに開状態にあるレンズバリアを収容するバリア退避空間を有し、光軸方向に進退可能なバリアブロックとを備え、該バリアブロックの進退によって鏡筒後方空間の体積が変化するレンズ鏡筒において、
前記バリアブロックには、前記バリア退避空間と外部とを連通する水抜き孔と、該水抜き孔の近傍において前記バリア退避空間と前記鏡筒後方空間とを連通する空気通路とが設けられ、バリアブロック後退時に、前記空気通路に前記鏡筒後方空間から前記バリア退避空間に向かう空気の流れが生ずるよう構成したことを特徴とするレンズ鏡筒。
【請求項２】
前記バリアユニットは、撮影レンズおよびその保持部材を含み、前記空気通路の一部は、前記保持部材に形成される空気孔にて構成されることを特徴とする請求項１に記載のレンズ鏡筒。
【請求項３】
鏡筒内の金属部品が前記空気通路に配置されていることを特徴とする請求項１または２に記載のレンズ鏡筒。
【請求項４】
前記空気通路は、通気性を持つ撥水性シートで塞がれていることを特徴とする請求項１〜３のいずれかに記載のレンズ鏡筒。
【請求項５】
前記バリアブロックには、前記空気通路が複数箇所に形成されていることを特徴とする請求項１〜４のいずれかに記載のレンズ鏡筒。
【発明の詳細な説明】
【技術分野】
【０００１】
本発明は、レンズバリアを備えたレンズ鏡筒およびこれを有するカメラに関し、特に防塵・防滴性を考慮したものに関する。
【背景技術】
【０００２】
撮影レンズの前面を覆う位置と露呈させる位置とで開閉可能なレンズバリアを備えたレンズ鏡筒が知られている（例えば、特許文献１，２参照）。これらのレンズ鏡筒では、光軸回りに回転する回転体を用いてバリア羽根の開閉を行い、バリア開放時にはバリア羽根が鏡筒内のバリア退避空間に収容されるようになっている。
【０００３】
【特許文献１】特開２００１−２１５５５９号公報
【特許文献２】特開平５−１９３３１号公報
【特許文献３】特開平５−１７３２４０号公報
【発明の開示】
【発明が解決しようとする課題】
【０００４】
ところで、例えば降雨時などにレンズ鏡筒内に水分が浸入すると、各部の動作や光学性能に支障を来すおそれがある。特にレンズバリアの開放時には、レンズ露出用の開口から水が浸入して上記バリア退避空間に溜まり易い。このためレンズ鏡筒には防滴あるいは排水機能が必要となるが、特許文献１，２のレンズ鏡筒はかかる点は考慮されていない。
【課題を解決するための手段】
【０００５】
本発明は、撮影レンズの前面で開閉するレンズバリアと、レンズバリアを開閉可能に保持するとともに開状態にあるレンズバリアを収容するバリア退避空間を有し、光軸方向に進退可能なバリアブロックとを備え、バリアブロックの進退によって鏡筒後方空間の体積が変化するレンズ鏡筒に適用される。バリアブロックには、バリア退避空間と外部とを連通する水抜き孔と、水抜き孔の近傍においてバリア退避空間と鏡筒後方空間とを連通する空気通路とが設けられ、バリアブロック後退時に、空気通路に鏡筒後方空間からバリア退避空間に向かう空気の流れが生ずるようにする。
請求項２の発明は、バリアユニットが撮影レンズおよびその保持部材を含み、空気通路の一部をその保持部材に形成される空気孔にて構成したものである。
請求項３の発明は、鏡筒内の金属部品を空気通路に配置したものである。
請求項４の発明は、空気通路を通気性を持つ撥水性シートで塞いだものである。
請求項５の発明は、バリアユニットに空気通路を複数形成したものである。
【発明の効果】
【０００６】
本発明によれば、バリアブロックに、バリア退避空間と外部とを連通する水抜き孔と、水抜き孔の近傍においてバリア退避空間と鏡筒後方空間とを連通する空気通路とを設け、バリアブロック後退時に、空気通路に鏡筒後方空間からバリア退避空間に向かう空気の流れが生ずるようにしたので、その空気の流れがバリア空間に溜まった水分を水抜き孔から外部に押し出すごとく作用し、水抜き孔が小さくても高い排水性能が得られる。
【発明を実施するための最良の形態】
【０００７】
図１〜図１４により本発明の一実施の形態を説明する。
図１，図２は本実施形態におけるカメラ（デジタルスチルカメラ）の上面図および正面図である。カメラ上面には、電源ボタン１と、シャッタボタン２と、ズームボタン３，４とが設けられる。ズームボタンが押圧されるとズームモータ１１が駆動され、その回転がウォーム１２およびギア列１３を介してレンズ鏡筒ＬＢのカム筒２１に伝達され、カム筒２１の回転によりズーミングが行われる。またレンズ鏡筒ＬＢは、電源オフ時には沈胴状態（非撮影位置）に繰り込まれるようになっており、その繰り込みおよび撮影位置への繰り出しもズームモータ１１を駆動源とする。ズーム制御は、カム筒２１に貼った反射テープの端をフォトリフレクタＰＲによって検出し、その位置を基準位置とする。基準位置からの回転量はウォーム１２の回転をフォトインタラプタＰＩで検出して制御する。
【０００８】
鏡筒ＬＢの前面に配置された外側バリアカバー５１には、レンズ露出用の開口５１ｃが設けられるとともに、その下部に複数の水抜き用の小孔（以下、水抜き孔）５１ｈが設けられている。４０は開口５１ｃを開閉するレンズバリア（以下、単にバリアという）で、閉時には４枚のバリア羽根が開口５１ｃを覆い、撮影レンズを保護する。バリア４０および水抜き孔５１ｈについては後で詳述する。
【０００９】
図３〜図１４によりレンズ鏡筒ＬＢのレンズ駆動機構、バリア、バリア開閉機構および防滴・排水構造について順に詳述する。
＜レンズ駆動機構＞
図３，図４はそれぞれ図２のIII−III線，IV−IV線で切ったレンズ鏡筒ＬＢの断面図であり、いずれもレンズが沈胴位置にある状態を示している。２２はカメラ本体に固定された固定筒であり、その内周側に上記カム筒２１が設けられる。カム筒２１は、そのギア部２１ａにズームモータ１１の駆動力が伝達されることで、光軸回りに回転する。カム筒２１に設けられたカムフォロア２１ｂは、固定筒２２のカムに係合しており、したがってカム筒２１は固定筒２２、つまりカメラ本体に対して回転しながら光軸方向に進退する。
【００１０】
直進キー２３は、カム筒２１に対して回転自在に係止部２３ａ（図４）で係止され、カム筒２１と共に光軸方向に進退する。ただし、固定筒２２の回転制限２２ａが直進キー２３の回転を阻止しているため、直進キー２３は固定筒２２に対しては回転しない。図５の展開図に示すように、直進キー２３には２種類の光軸方向のキー溝（直進溝）２３ｂ，２３ｃがそれぞれ３本ずつ形成されており、これらが以下に示すように１群レンズＬ１および２群レンズＬ２を光軸方向に案内する。
【００１１】
１群レンズＬ１は１群保持枠２４に保持され、１群保持枠２４は１群筒２５にねじ込まれて保持されている。１群筒２５に設けられたカムフォロア２５ａは、直進キー２３のキー溝２３ｂ（図５）を貫通してカム筒２１の１群駆動用カム溝に係合され、これにより、カム筒２１の回転に従って１群筒２５、つまり１群レンズＬ１がカム筒２１に対して光軸方向に進退する。一方、２群レンズＬ２は、１群筒２５の後方の空間（以下、鏡筒後方空間）ＳＰ３においてシャッタ２７とともに２群保持枠２６に保持され、２群保持枠２６のカムフォロア２６ａは、直進キー２３のキー溝２３ｃ（図５）を貫通してカム筒２１の２群駆動用カム溝に係合されている。これにより、カム筒２１の回転に従って２群レンズＬ２およびシャッタ２７がカム筒２１に対して光軸方向に進退する。
【００１２】
なお、３群保持枠２８に保持された３群レンズＬ３はフォーカスレンズであり、不図示のフォーカスモータ（ステッピングモータ）によって光軸方向に駆動される。また、３１，３２は絞り、３３は光学ローパスフィルタ、３４はＣＣＤ等の撮像素子、３５はカメラ後カバー、３６は同前カバーである。
【００１３】
＜バリア構造＞
１群筒２５の先端に設けられた外側バリアカバー５１には、上述したようにレンズ露出用の開口５１ｃが形成され、バリア閉時には４枚のバリア羽根４１Ａ，４１Ｂ，４２Ａ，４２Ｂが開口５１ｃを覆い（図３）、バリア開時にはバリア羽根が外側バリアカバー５１と内側バリアカバー５２との間に重なって収容される（図７）。
【００１４】
図８はバリア４０を撮像素子側から見た図、図９，図１０はカメラ先端側（図４のＩＸ方向）から見た図である。上側のバリア羽根４１Ａ，４２Ａは、バリアカバー５１に突設された軸５１ａを中心に回転可能に支持され、下側の羽根４１Ｂ，４２Ｂは、同様の軸５１ｂに回転可能に支持されている。軸５１ａ，５１ｂには、羽根駆動ばね（ねじりばね）４５Ａ，４５Ｂがそれぞれ外挿され、ばね４５Ａ，４５Ｂの一端は羽根４１Ａ，４１Ｂのばね掛け部４１Ａａ，４１Ｂａに、他端はバリアカバー５２のばね掛け部５２ａ，５２ｂにそれぞれ掛止されている。これらのばね４５ａ，４５ｂの付勢力により、４枚のバリア羽根は閉じ方向に付勢され、閉状態ではバリア羽根４１Ａ，４１Ｂの先端同士が当接し、バリア羽根４２Ａ，４２Ｂは羽根４１Ａ，４１Ｂの上下にそれぞれ配置される。
【００１５】
バリア閉状態において、バリア羽根４１Ａ，４１Ｂにそれぞれ突設された羽根駆動軸４１Ａｂ，４１Ｂｂに開方向の力が加わると、バリア羽根４１Ａ，４１Ｂはばね４５Ａ，４５Ｂの付勢力に抗して軸５１ａ，５１ｂ回りに開き始め、ある程度開くと羽根連動軸４１Ａｃ，４１Ｂｃ（羽根駆動軸と反対側の面に設けられる）がバリア羽根４２Ａ，４２Ｂにそれぞれ当接し、バリア羽根４２Ａ，４２Ｂも開き始める。図１０は各バリア羽根が完全に開いた状態を示している。開放されたバリア羽根は、内外バリアカバー５１，５２の間の空間であるバリア退避空間ＳＰ１（図１３）に重なった状態で収容される。この開状態において羽根駆動軸４１Ａｂ，４１Ｂｂへの力が断たれると、羽根駆動ばね４５Ａ，４５Ｂの付勢力により各羽根は閉じる（図８，図９）。
【００１６】
＜バリア駆動機構＞
上記バリア羽根の開放は、図１１，図１３に示すバリア駆動リング５３を介して付勢ばね５５の付勢力を羽根駆動軸４１Ａｂ，４１Ｂｂに伝達することでなされる。バリア駆動リング５３は、１群筒２５にビスＢＳで固定されたバリア駆動リング保持部材５４の係止爪５４ｂにバヨネット結合され、保持部材５４に対して光軸回りに回転可能とされる。付勢ばね５５は、バリア駆動リング５３のばね掛け部５３ａと保持部材５４のばね掛け部５４ａとの間に介装され、バリア駆動リング５３を図１１の反時計回りに付勢する。ここで、バリア駆動リング５３および付勢ばね５５は、内側バリアカバー５２とバリア駆動リング保持部材５４との間の空間ＳＰ２に配置されることになり、以下、この空間ＳＰ２を駆動リング配置空間と呼ぶ。
【００１７】
なお、上記ばね掛け部５４ａや掛止爪５４ｂは１群筒２５に一体成形により設けてもよいが、かかる爪形状の部材を一体成形で形成するとなると、アンダーカット部をなくすために爪形状の部材の周囲に孔を開けざるを得ず、孔から水分の浸入を招くおそれがある。本実施形態では、１群筒２５の前面からの水分の浸入を極力阻止するために、上記爪形状の部材を別部材である保持部材５４に設け、その保持部材５４を１群筒２５にビス止めすることで孔の形成を回避し、以て防滴性を高めている。
【００１８】
図１１は後述するバリア駆動筒５６の爪５６Ａによってバリア駆動リング５３の回動が阻止された状態を示し、このときバリア羽根は閉じている。爪５６Ａが反時計回りに移動すると、バリア駆動リング５３の同方向の回動が許容され、付勢ばね５５の付勢力によってバリア駆動リング５３が回転し、一対の当接部５３ｂが羽根駆動軸４１Ａｂ，４１Ｂｂにそれぞれ当接してこれを図１２の位置まで動かす。これにより上述のごとくバリア羽根が開放される。
【００１９】
上記回転制限用の爪５６Ａを有するバリア駆動筒５６は、そのバヨネット部５６ｂ（図３）が１群筒２５にバヨネット結合され、ある角度範囲においてのみ１群筒２５に対して回転可能であり、かつ１群筒２５に対して光軸方向には進退不能とされる。バリア駆動筒５６のカムフォロア５６ｃ（図４）は、直進キー２３に設けたバリア駆動カム２３ｄ（図５，図６）に係合しており、このためバリア駆動筒５６は、１群筒２５と共に直進キー２３に対して光軸方向に移動する際に、バリア駆動カム２３ｄから回転力を受けて回転する。これに伴い、爪５６Ａがバリア駆動リング５３の回動を阻止する位置と許容する位置との間で駆動される。その詳細な動きは後述する。
【００２０】
＜防滴・水抜き構造＞
カメラ前カバー３６とカム筒２１、カム筒２１とバリア駆動筒５６、バリア駆動筒５６と１群筒２５との各隙間には、それぞれリング状の防滴ゴム７１，７２，７３が全周に渡って介装されている。これらの防滴ゴム７１〜７３は、それぞれ外側の部材の内周面に貼着され、弾性力により内側の部材に密着することで各隙間からの水、塵埃の侵入を阻止するとともに、遮光的な役割をも果たす。１群保持枠２４と１群筒２５との隙間はシリコンによりシールされている。
【００２１】
上述した水抜き孔５１ｈは、外側バリアカバー５１のほぼ最下部に設けられ、図１３の拡大図から分かるように、これらの孔５１ｈによってバリア退避空間ＳＰ１が外部に連通される。つまり水抜き孔５１ｈは、バリア退避空間ＳＰ１の下部に溜まった水分を外部に排出するために設けられる。一方、内側バリアカバー５２には、その最下部、つまり水抜き孔５１ｈとほぼ対向する位置に空気孔５２ｈが設けられ、この孔５２ｈによってバリア退避空間ＳＰ１と駆動リング配置空間ＳＰ２とが連通される。さらに、バリア駆動リング保持部材５４と１群筒２５にはそれぞれ最下部に空気孔５４ｈ，２５ｈが設けられ、これらの孔５４ｈ，２５ｈは、図１４に示すように光軸方向に部分的に重なっている。したがって、孔５４ｈ，２５ｈにより駆動リング配置空間ＳＰ２と鏡筒後方空間ＳＰ３とが連通される。１群筒２５の空気孔２５ｈは、先端に至るほど開口面積が小さくなるテーパー孔とされる。
なお、図１４の５４ｄは外側バリアカバー５１を固定するためのビス孔、ＢＳは１群筒２５にバリア駆動リング保持部材５４を固定するビスである。
【００２２】
このように、各部材に形成された空気孔５２ｈ，５４ｈ，２５ｈおよび空間ＳＰ２により、バリア退避空間ＳＰ１と鏡筒後方空間ＳＰ３とを連通する空気通路が確保され、しかもこの空気通路は水抜き孔５１ｈとほぼ対向する位置にある。そして、バリアカバー５１，５２，バリア駆動リング保持部材５４および１群筒２５は一体化され、光軸回りに回転しない１つのレンズブロック（バリアブロックともいえる）ＢＲを構成しているから、そのブロックＢＲに形成された空気通路と水抜き孔５１ｈの位置は、鏡筒の状態に拘わらず終始不変である。
【００２３】
また１群筒２５には、その上部にもテーパー状の空気孔２５ｈ２（図３）が形成され、この孔２５ｈ２により鏡筒後方空間ＳＰ３と駆動リング配置空間ＳＰ２とが連通される。駆動リング配置空間ＳＰ２は内側バリアカバー５２の中央開口を介してバリア退避空間ＳＰ１と連通している。つまり鏡筒上部にもバリア退避空間ＳＰ１と鏡筒後方空間ＳＰ３とを連通する空気通路が形成されていることになる。そして、１群筒２５の前面には、各テーパー孔２５ｈ，２５ｈ２の先端を塞ぐように撥水シート１０１がそれぞれ固着されている。撥水シート１０１は、空気はよく通すが水分は極力通さない材質、例えば衣料分野で用いられているような撥水加工（シリコン・フッ素加工等）されたポリエステル繊維から成るものが用いられる。
【００２４】
＜動作＞
以上のように構成されたカメラにおいて、図３，図４，図１１はレンズ鏡筒ＬＢが沈胴位置にある状態を示し、バリア４０の各羽根は閉じている。このとき、バリア駆動筒５６のカムフォロア５６ｃは、直進キー２３のバリア駆動カム２３ｄに対して図６にＰｒで示す位置にある。カメラに電源が投入されると、ズームモータ１１が回転し、上述した作用によってカム筒２１が回転しつつ繰り出されるとともに、１群筒２５および２群保持枠２６がカム筒２１に対して進退する。
【００２５】
このとき、カム筒２１と一体に進退する直進キー２３は、１群筒２５と一体に繰り出されるバリア駆動筒５６に対して図６の矢印方向に移動する。したがって、カムフォロア５６ｃはＰｍ位置に達するまではカム２３ｄから回転力を受け、バリア駆動筒５６が回転する。これにより、バリア駆動筒５６の爪５６Ａが図１１の反時計回りに移動するので、バリア駆動リング５３が付勢ばね５５の付勢力によって同方向に回転する。バリア駆動リング５３がある程度回転すると、一対の当接部５３ｂが羽根駆動軸４１Ａｂ，４１Ｂｂに当接してこれらを駆動し、上述の作用によって４枚のバリア羽根４１Ａ，４１Ｂ，４２Ａ，４２Ｂが開放される。開放された羽根は、開放側の制限に当接することで停止し、バリア駆動リング５３も停止する。バリア駆動筒５６は、駆動リング停止後もある程度回転し、カムフォロア５６ｃがＰｍ位置に達した時点で停止する。
【００２６】
ここで、バリア羽根は羽根駆動ばね４５Ａ，４５Ｂによって常に閉方向に付勢されているが、付勢ばね５５の付勢力は羽根駆動ばね４５Ａ，４５Ｂの付勢力よりも大きいので、羽根４１Ａ，４１Ｂ，４２Ａ，４２Ｂは開状態に保持される。
【００２７】
その後もカム筒２１および直進キー２３は進出を続け、レンズＬ１，Ｌ２がワイド端位置に達した時点で停止し、撮影が許容される。このとき、カムフォロア５６ｃはＰｗ位置に位置する。カムフォロア５６ｃは、Ｐｍ位置からＰｗ位置に達するまでの間は、バリア駆動カム２３ｄの光軸と平行の部分を進むので、回転力を受けず、バリア駆動筒５６は回転しない。また、その後にズームボタン３，４の操作に応じてズーミングが行われると、１群筒２５および２群保持枠２６が光軸方向に進退するが、１群筒２５は、テレ方向のズーミングに従っていったんＣＣＤ側に退避し、途中から再度進出する動きをし、１群筒２５と一体に進退するバリア駆動筒５６も同様の動きをする。これに従い、カムフォロア５６ｃは、Ｐｗ→Ｐｍ→Ｐｗ→Ｐｔ（Ｐｔはテレ端）のように動き、ワイド方向のズーミングはその逆の動きをする。したがって、ズーミングの際もカムフォロア５６ｃは駆動力を受けず、バリア駆動筒５６は回転しない。
【００２８】
因みに、図７はズーミングにおいてカムフォロア５６ｃがＰｍ位置にあるときの状態を示している（テレ端とワイド端の中間位置）。このとき、１群筒２５やバリア駆動筒５６のカム筒２１からの突出量はズーミング中で最も短い。なお、ワイド端に達したときにこの状態となるレンズ鏡筒もある。
【００２９】
カメラの電源がオフされると、レンズ鏡筒ＬＢは沈胴位置に向けて駆動される。沈胴位置に近づくと、カムフォロア５６ｃはＰｍ位置からＰｒ位置にかけて移動するためカム２３ｄから回転力を受け、バリア駆動筒５６は上述と逆方向（図１２の時計回り）に回転する。これにより、バリア駆動筒５６の爪５６Ａがバリア駆動リング５３を付勢ばね５５に抗して時計回りに回転させるので、羽根駆動軸４１Ａｂ，４１Ｂｂへの開方向の力が解除され、各バリア羽根は羽根駆動ばね４５Ａ，４５Ｂの付勢力によって閉じる。
【００３０】
ここで、バリア駆動筒５６と１群筒２５との間に設けた防滴ゴム７３は、バリア駆動筒５６の回転時に１群筒２５の外周面を摺動するため、摺動摩擦力を発生し、この摩擦力はバリア駆動筒５６の回転負荷となる。しかし、本実施形態では、バリア駆動筒５６で直接バリア４０を駆動するのではなく、バリア駆動筒５６の回転に連動して付勢ばね５５の付勢力（バリア駆動力）をレンズバリア４０に伝達してこれを開放する構成であるため、上記摩擦力は付勢ばね５５の抵抗とならず、バリア開放に何ら影響を及ぼさない。したがって、摩擦力に抵抗すべく力量の大きな大型の付勢ばねを用いるといった配慮は不要であり、コスト的、スペース的に有利である。
【００３１】
また、バリア駆動筒５６はレンズ駆動に連動して回転されるが、バリア駆動カム２３ｄがもたらす作用によってバリア開閉時以外は回転せず、特にズーミング時には一切回転しない。したがって、上記防滴ゴム７３の摺動を最小限に留めることができ、防塵・防滴性能の向上が図れるとともに、防滴ゴム７３がもたらす摺動摩擦力はズーミング時には発生せず、モータ負荷とならない。さらにバリア駆動筒５６の回転角度は、図１１，図１２から分かるようにごく僅かであるから、周囲に配置される部材との干渉を避けるための配慮も最小限で済み、スペース的に有利である。因みにレンズ駆動時は常に（ズーミング時も）バリア駆動筒が回転する構成（例えば、特開２００１−２１５５５９号公報）では、防滴ゴムの摩擦力がズーミング全般においてモータ負荷となり、また爪の回転量が増えるため周囲の部材と干渉を避けるための配慮が必要となる。
【００３２】
さらにバリア駆動筒５６は、直進キー２３に形成されたバリア駆動カム２３ｄから回転力を受けて回転する。直進キー２３ではなくカム筒２１に形成したカムから力を受けるようにしてもよいが、カム筒２は２つのレンズ群Ｌ１，Ｌ２を駆動するためのカムが既に設けられているから、これに更にバリア駆動用のカムを追加するとなると、場合によってはカム筒２１の長さや厚さを大きくしなければならない。一方、直進キー２３にも２種の直進溝２３ｂ，２３ｃが既に設けられているが、上述したようにバリア駆動筒５６の回転角度はごく小さいため、これを駆動するためのカム２３ｄは直線部分が多く（図５，図６参照）、カム２３ｄを直進キー２３に追加するにあたって直進キー２３の厚さや長さを大きくする必要はない。
【００３３】
次に、水抜き動作について説明する。
上述した防滴ゴム７１〜７３によって鏡筒内への水分の浸入は最小限に抑制されるが、バリア開時あるいは開閉動作時に開口５１ｃからバリア退避空間ＳＰ１に水分が浸入するおそれがある。また、たとえバリアが閉じていても、バリア羽根と外側バリアカバー５１との隙間から同様にバリア退避空間ＳＰ１に水分が浸入するおそれがある。そこで、バリア退避空間ＳＰ１に溜まった水を外側バリアカバー５１に設けた水抜き孔５１ｈから排出するようにしているが、水には表面張力があるため、孔５１ｈをある程度大きくしないと自然に水を抜くのは困難である。しかし、水抜き孔５１ｈを大きくするとデザイン上の制約になったり、また小型のレンズ鏡筒ではもともと大きな孔が開けられないなどの事情から、孔５１ｈはごく小さいものに限定されてしまい、ユーザがカメラを振るなどして水を強制的に抜く作業をしないと水が残ったままとなる。
【００３４】
そこで本実施形態では、レンズブロックＢＲに形成された空気通路（空気孔５２ｈ，５４ｈ，２５ｈおよび空間ＳＰ２にて構成される）を用いて排水を助長させている。すなわち、鏡筒が沈胴方向に繰り込まれるとき、レンズブロックＢＲの後退により鏡筒後方空間ＳＰ３の体積が減少し、その際、空気通路に後方空間ＳＰ３からバリア退避空間ＳＰ１に向かう空気の流れが発生する（図１３に矢印で示す）。空気通路はレンズブロックＢＲの下部に設けられているから、上記空気の流れは、バリア退避空間ＳＰ１の下部に溜まった水を水抜き孔５１ｈから押し出すよう作用し、たとえ水抜き孔５１ｈが小さくても、ユーザがいちいちカメラを振ることなく水を効率よく排出することが可能となる。
【００３５】
しかも、空気通路を構成する空気孔２５ｈは先細りのテーパー孔であるから、ここから前方に送られる空気の圧力は高く、排水性が高まる。またテーパー状の孔とすることで、孔の形成が容易になる。さらに、テーパー孔２５ｈの前端に撥水シート１０１が設けられているので、その位置より後方への水の浸入を極力抑えることができる。
【００３６】
ここで、強雨時でのカメラ使用などによってバリア退避空間ＳＰ１への水分の浸入が多く、水が空気通路を塞いで空気の流れを妨げると、上記の作用では排水がままならなくなる。しかし本実施形態では、１群筒２５の上部に設けたテーパー孔２５ｈ２に鏡筒後方空間ＳＰ３から駆動リング配置空間ＳＰ２に向かう空気の流れが生じ、これがバリア退避空間ＳＰ１の水を押し出すごとく作用する。したがって、バリア退避空間ＳＰ１や下側の空気通路の排水が助長される。また、孔２５ｈ２の先端にも撥水シート１０１が設けられているから、上述と同様に後方への水の浸入を極力抑えることができる。
【００３７】
さらに本実施形態では、図１３から分かるように、上記空気通路の途中にバリア駆動リング５３を回転させるための付勢ばね５５が設けられている。ばね５５は、金属であるため水分による錆の発生が懸念されるが、空気通路を流れる空気が水分の乾燥に寄与し、錆の発生を極力抑制することが可能となる。
【００３８】
図１５は他の実施形態を示し、先の実施形態と同様の機能を果たす部材には同一の符号を付してある。本実施形態では、バリアカバーに代えてバリア駆動筒５６の周面の先端下部、つまりバリア退避空間ＳＰ１の底部にあたる箇所に水抜き孔５６ｈを形成し、水抜きを図っている。この場合も空気孔５２ｈ，５４ｈ，２５ｈや空間ＳＰ２から成る空気通路が水抜き孔５６ｈの近傍に位置しているので、上述したと同様に空気の流れによって水抜きを効率よく行える。
【００３９】
なお、バリア駆動筒５６はレンズブロックＢＲを構成するものの、他の構成部材であるバリアカバー５１，５２，バリア駆動リング保持部材５４および１群筒２５に対して光軸回りに回転する。しかし、その回転角は上述したようにごく僅かであるから、水抜き孔の位置が大きく変わることはなく、排水上の問題はない。また本例では、孔５６ｈから排出された水が鏡筒内に落ちることを防ぐため、鏡筒が最も繰り込まれた状態であっても孔５６ｈがカム筒２１の先端よりも前方に出ている必要がある。
【００４０】
以上では、バリア駆動リング保持部材５４や１群筒２５に空気通路を構成する空気孔を設けたが、バリアブロックの構造によって空気孔を設ける部材は変わってくる。要は水抜き孔の近傍にバリア退避空間と鏡筒後方空間とを連通する空気通路が設けられていればよい。レンズが沈胴せず、ワイド端とテレ端との間のみでレンズが進退するカメラでもよい。さらにデジタルカメラにて説明したが、銀塩カメラにも本発明を適用できる。
【図面の簡単な説明】
【００４１】
【図１】一実施形態におけるカメラの上面図。
【図２】上記カメラの正面図。
【図３】図２のIII−IIIから見たレンズ鏡筒の断面図で、バリア閉時の状態を示す。
【図４】図２のIV−IV線から見たレンズ鏡筒の断面図で、バリア閉時の状態を示す。
【図５】直進キーの展開図。
【図６】図５のVI部分の拡大図で、直進キーに設けられたバリア駆動カムを示す図。
【図７】図３と同様の図で、バリア開時の状態を示す。
【図８】レンズバリアをカメラ背面側から見た図。
【図９】レンズバリアをカメラ前面側から見た図で、バリア閉時の状態を示す。
【図１０】図９と同様の図で、バリア開時の状態を示す。
【図１１】バリア駆動機構をカメラ背面側から見た図で、バリア閉時の状態を示す。
【図１２】図１１と同様の図で、バリア開時の状態を示す。
【図１３】図７の水抜き孔および空気孔付近を示す拡大図。
【図１４】バリア駆動リング保持部材を光軸前方から見た図。
【図１５】他の実施形態を示す図１３に相当する図。
【符号の説明】
【００４２】
１１  ズームモータ
２１  カム筒
２２  固定筒
２３  直進キー
２３ｄ  バリア駆動カム
２５  １群筒
２５ｈ，２５ｈ２，５４ｈ，５２ｈ  空気孔
４０  レンズバリア
４１Ａ，４１Ｂ，４２Ａ，４２Ｂ  バリア羽根
４１Ａｂ，４１Ｂｂ  羽根駆動軸
４１Ａｃ，４１Ｂｃ  羽根連動軸
４５Ａ，４５Ｂ  羽根駆動ばね
５１  外側バリアカバー
５１ａ，５１ｂ  バリア羽根の回動軸
５１ｈ  水抜き孔
５２  内側バリアカバー
５３  バリア駆動リング
５４  バリア駆動リング保持部材
５５  付勢ばね
５６  バリア駆動筒
５６Ａ  爪
５６ｃ  カムフォロア
７１〜７３  防滴ゴム（シール部材）
１０１  撥水シート
ＢＲ  レンズブロック（バリアブロック）
Ｌ１〜Ｌ３  レンズ
ＬＢ  レンズ鏡筒
ＳＰ１  バリア退避空間
ＳＰ２  駆動リング配置空間
ＳＰ３  鏡筒後方空間
【図１】
2005258276.tif 000003
【図２】
2005258276.tif 000004
【図３】
2005258276.tif 000005
【図４】
2005258276.tif 000006
【図５】
2005258276.tif 000007
【図６】
2005258276.tif 000008
【図７】
2005258276.tif 000009
【図８】
2005258276.tif 000010
【図９】
2005258276.tif 000011
【図１０】
2005258276.tif 000012
【図１１】
2005258276.tif 000013
【図１２】
2005258276.tif 000014
【図１３】
2005258276.tif 000015
【図１４】
2005258276.tif 000016
【図１５】
2005258276.tif 000017